(57)【特許請求の範囲】
【請求項１】
本体と、この本体を人体に装着させるバンドと、電流が流される複数の電極とを備え、前記本体にタイマと、このタイマの計時時間に基づいて一定時間毎に前記複数の電極間に電流を流して血糖値を測定する測定手段と、この測定手段によって測定された測定データを記憶するメモリと、このメモリに記憶された測定データを出力する出力手段とが設けられた血糖値測定装置であって、
前記複数の電極は、前記本体の裏面に設けられていることを特徴とする血糖値測定装置。
【請求項２】
前記出力手段は、前記本体に設けられ前記メモリに記憶された測定データを表示する表示手段であることを特徴とする請求項１に記載の血糖値測定装置。
【請求項３】
前記出力手段は、メモリに記憶された測定データを送信する通信手段であることを特徴とする請求項１に記載の血糖値測定手段。
【請求項４】
前記タイマは時計であることを特徴とする請求項１ないし請求項３のいずれか１つに記載の血糖値測定手段。
【請求項５】
前記測定データと境界型の基準データとを比較して、この測定データが前記基準データを下回っているときに、その差が所定以下のとき警告を行うことを特徴とする請求項１ないし４のいずれか１つに記載の血糖値測定装置。
【請求項６】
前記測定データと前記基準データとのピーク値を比較し、その差が所定値以下のとき警告を行うことを特徴とする請求項５に記載の血糖値測定装置。
【請求項７】
前記基準データのピーク値から所定時間経過した際のその基準データの基準値と、前記測定データのピーク値から所定時間経過した際のその測定データの測定値とを比較し、その差が所定値以下のとき警告を行うことを特徴とする請求項５に記載の血糖値測定装置。
【発明の詳細な説明】
【０００１】
【発明の属する技術分野】
この発明は、非侵襲で生体内の血糖値を測定する血糖値測定装置に関する。
【０００２】
【従来の技術】
従来、血糖値測定装置は、生体から血液を採取し、この採取した血液から血糖値を求めている。
【０００３】
【発明が解決しようとする課題】
このように、従来の血糖値測定装置にあっては、生体から血液を採取しなければならず、このため被検者に不快感を与えてしまう問題があった。また、定期的に測定する場合には、被検者は日にちや時間を意識しなければならず、非常に面倒である。特に１日のうち何回も行う一定時間毎の測定の場合には被検者に無理な負担が掛かり、実質的に不可能であった。
【０００４】
この発明は、上記事情に鑑みてなされたもので有り、その目的は、被検者が意識せずにしかも不快感を与えずに一定時間毎に血糖値の測定が行える血糖値測定装置を提供することにある。
【０００５】
【課題を解決するための手段】
請求項１の発明は、本体と、この本体を人体に装着させるバンドと、電流が流される複数の電極とを備え、前記本体にタイマと、このタイマの計時時間に基づいて一定時間毎に前記複数の電極間に電流を流して血糖値を測定する測定手段と、この測定手段によって測定された測定データを記憶するメモリと、このメモリに記憶された測定データを出力する出力手段とが設けられた血糖値測定装置であって、前記複数の電極は、前記本体の裏面に設けられていることを特徴とする。
【０００６】
請求項２の発明は、前記出力手段は、前記本体に設けられ前記メモリに記憶された測定データを表示する表示手段であることを特徴とする。
【０００７】
請求項３の発明は、前記出力手段は、メモリに記憶された測定データを送信する通信手段であることを特徴とする。
【０００８】
請求項４の発明は、前記タイマは時計であることを特徴とする。
【０００９】
請求項５の発明は、前記測定データと境界型の基準データとを比較して、この測定データが前記基準データを下回っているときに、その差が所定以下のとき警告を行うことを特徴とする。
【００１０】
請求項６の発明は、前記測定データと前記基準データとのピーク値を比較し、その差が所定値以下のとき警告を行うことを特徴とする。
【００１１】
請求項７の発明は、前記基準データのピーク値から所定時間経過した際のその基準データの基準値と、前記測定データのピーク値から所定時間経過した際のその測定データの測定値とを比較し、その差が所定値以下のとき警告を行うことを特徴とする。
【００１２】
【発明の実施の形態】
以下、この発明に係る血糖値測定装置の実施形態を図面に基づいて説明する。
【００１３】
図１および図２において、１０は腕時計式の血糖値測定装置であり、この血糖値測定装置１０は、本体１１と、この本体１１を腕に装着させるリストバンド１２とを備えている。本体１１の裏面には互いに所定距離離間した２つの電極１３、１４が設けられており、本体１１の表面（上面）１１Ａの一端には開閉可能な蓋１５が装着されている。
【００１４】
本体１１の表面１１Ａには、本体１１に内蔵された時計２２（図３参照）の時間を表示する表示器１６と、測定した血糖値を表示する表示器（表示手段：出力手段）１７と、点滅して警告表示する警告表示器１８と、操作部１９とが設けられている。操作部１９には、各種の操作を行う操作スイッチＳ１〜Ｓｎが設けられている。表示器１６には、内蔵された時計２２の時間が表示されるので、通常腕時計として使用することができる。
【００１５】
蓋１５の裏面には液晶からなる表示器（表示手段：出力手段）２０が設けられており、この表示器２０は後述するメモリに記憶された測定データ（血糖値）を図４に示すように測定グラフＧ１にして表示するとともに、基準データである境界型の基準グラフＧ２を表示するようになっている。正常の人であれば血糖値の変化はグラフＧ１に示すようになるが、糖尿病に近づくと基準グラフＧ２のようになっていく。
【００１６】
図３は、血糖値測定装置１０の制御系の構成を示したブロック図である。図３において、２１は電極１３、１４間に電流を流してその電極１３、１４間に流れる電流値から血糖値を測定する血糖値測定手段であり、この血糖値測定手段２１は特開平１１−３４２１２３号公報や特表平１１−５０５４５２号公報に記載されているものと同一であるので、その説明は省略する。２２は内蔵された時計（タイマ）、２３は血糖値測定手段２１によって測定された測定データを記憶するメモリ、２４はメモリ２３に記憶された測定データを転送する通信手段（出力手段）である。
【００１７】
３０はＣＰＵ等から構成されている制御装置であり、この制御装置３０は、操作部１９の操作スイッチＳ１〜Ｓｎの操作などに基づいて血糖値測定手段２１、表示器１６〜１８、通信手段２４などを制御するようになっている。そして、血糖値測定手段２１、メモリ２２、通信手段２４などは本体１１内に設けられている。
【００１８】
次に、上記のように構成される血糖値測定装置１０の動作を説明する。
【００１９】
先ず、リストバンド１２によって本体１１を腕に装着する。この装着により本体１１の裏面に設けられた電極１３、１４は腕の皮膚に接触することになる。
【００２０】
そして、蓋を開けて、操作部１９のスイッチＳを操作して測定開始時間や何分ごとに測定を行うか等を設定する。そしてスタートスイッチＳを操作して蓋１５を閉じる。
【００２１】
測定開始時間になると、制御装置３０は血糖値測定手段２１を動作させる。血糖値測定手段２１は電極１３、１４間に電流を流して血糖値の測定を行う。この測定によって得られた血糖値（測定値）はメモリ２３に記憶されるとともに、その測定値は表示器１７に表示される。
【００２２】
そして、設定した所定時間経過毎に制御装置３０は血糖値測定手段２１を動作させて血糖値の測定を行っていき、その測定した血糖値がメモリ２３に記憶されていく。このメモリ２３に記憶された最新の血糖値が表示器１７に表示される。また、制御装置３０はメモリ２３に記憶された血糖値に基づいて、図４に示すようにグラフＧ１を作成して表示器２０に表示していく。
【００２３】
被検者は、蓋１５を開ければ、表示器１７に表示されている最新の血糖値と、表示器２０に表示されているグラフＧ１、Ｇ２等を見ることができ、基準グラフＧ２に近づいているか否かが一目で分かる。また、グラフＧ１から血糖値の計時変化が一目で分かることになる。
【００２４】
測定グラフＧ１と基準グラフＧ２との差が所定以下になると、制御装置３０は表示器１８を点滅させて警告を発し、食事の取り過ぎや運動不足であることを知らせることになる。
【００２５】
具体的には、例えば、図５に示すように、測定グラフＧ１として示す測定データと基準グラフＧ２として示す基準データとのピーク値ＰＰ１とＰＲ１（ＰＰ２とＰＲ２、ＰＰ３とＰＲ３）を比較し、その差が所定値以下のとき、制御装置３０が表示器１８を点滅させて警告を行うこととなる。被検者はこの異常通知によって血糖値の異常を知り、表示器２０を見ることで、糖尿病型への接近を知ることができる。
【００２６】
また、図６に示すように、基準グラフＧ２のデータのピーク時から所定時間Ｔ１経過した際のその基準データの基準値ＰＣ１、ＰＣ２、ＰＣ３と、測定グラフＧ１のデータのピーク値から所定時間Ｔ１経過した差異の測定値ＰＭ１、ＰＭ２、ＰＭ３を比較し、その測定値ＰＭ１（ＰＭ２、ＰＭ３）と基準値ＰＣ１（ＰＣ２、ＰＣ３）との差が所定値以下のとき制御装置３０が表示器１８を点滅させて警告を行うようにしてもよい。被検者はこの警告を見て、異常を知り、表示器２０を見ることにより、糖尿病の一症状である食後の血糖値の下降時間が長くかかるというものを発見することができる。
【００２７】
メモリ２３に記憶されたデータを例えば携帯電話に転送するには、図示しないコードで本体１１と携帯電話とを接続する。そして、操作スイッチＳを操作するとメモリ２３に記憶されたデータが読み出され、このデータが通信手段２４によって携帯電話に転送される。携帯電話に転送されたデータはその携帯電話により例えば病院等に送信することができることになる。この送信により、通院しなくても医師が血糖値の計時変化を把握することができ、医師から適切なアドバイスを受けることができる。
【００２８】
以上のように、リストバンド２によって本体１１を腕に装着しているだけで、設定した時間毎に電極１３、１４間に電流が流れて血糖値が自動的に測定されていくので、生体から血液を採血する必要が無く、このため被検者に不快感を与えてしまうことがない。しかも、設定した時間毎に自動的に血糖値が測定されていくことにより、被検者は血糖値を測定する時間を意識する必要が無く、自宅で測定することができ、被検者に無理な負担を掛けてしまうことがない。さらに、１日のうち何回も自動的に測定することができるので、被検者に負担を掛けずに血糖値の経時変化を見ることができる。
【００２９】
上記実施形態では、本体１１の裏面に２つの電極１３、１４を設けているが、リストバンド１２の裏面に設けても良い。また、表示器２０を蓋１５の裏面に設けているが、本体１１の表面１１Ａを設け、操作部１９を蓋１５の裏面に設けてもよい。
【００３０】
上記実施形態では、腕に装着する血糖値測定装置１０について説明したが、他の人体の部分に装着するようにしてもよい。
【００３１】
【発明の効果】
以上説明したように、請求項１の発明によれば、本体と、この本体を人体に装着させるバンドと、電流が流される複数の電極とを備え、本体にタイマと、このタイマの計時時間に基づいて一定時間毎に複数の電極間に電流を流して血糖値を測定する測定手段と、この測定手段によって測定された測定データを記憶するメモリと、このメモリに記憶された測定データを出力する出力手段とが設けられた血糖値測定装置であって、複数の電極が、本体の裏面に設けられているものであるから、生体から血液を採取する必要がなく、このため被検者に不快感を与えてしまうことがない。しかも、設定した一定時間毎に自動的に血糖値が測定されていくことにより、被検者は血糖値を測定する時間を意識する必要がなく、自宅で測定することができ、被検者に無理な負担を掛けてしまうことがない。
【００３２】
請求項２の発明によれば、出力手段は、本体に設けられたメモリに記憶された測定データを表示する表示手段であるから、被検者は血糖値の経時変化を見ることができる。
【００３３】
請求項３の発明によれば、出力手段は、メモリに記憶された測定データを送信する通信手段であるから、他の装置へ測定データを転送することができる。
【００３４】
請求項４の発明によれば、タイマは時計であるから、専用のタイマを設ける必要がない。
【００３５】
請求項５の発明によれば、測定データと境界型の基準データとを比較して、この測定データが基準データを下回っているときに、その差が所定以下のとき警告を行うものであるから、被検者に食事の取り過ぎや運動不足であることを知らせることができる。
【００３６】
請求項６の発明によれば、測定データと基準データとのピーク値を比較し、その差が所定値以下のとき、警告を行うこととしたため、被検者はこの異常通知によって血糖値の異常を知り、血糖病型への接近を知ることができる。
【００３７】
請求項７の発明によれば、基準データのピーク値から所定時間経過した際のその基準データの基準値と、測定データのピーク値から上記所定時間経過した際の測定値とを比較し、その差が所定値以下のとき警告を行うことになる。被検者はこの警告を見て、異常を知り、糖尿病の一症状である食後の血糖値の下降時間が長くかかるというものを発見することができることとなる。
【図面の簡単な説明】
【図１】  この発明に係る血糖値測定装置を示した斜視図である。
【図２】  図１に示す血糖値測定装置の本体の裏面を示す説明図である。
【図３】  血糖値測定装置の制御系の構成を示したブロック図である。
【図４】  表示器に表示される血糖値のグラフを示した説明図である。
【図５】  血糖値判定法の一例を示す説明図である。
【図６】  血糖値判定法の他の例を示す説明図である。
【符号の説明】
１１  本体
１２  リストバンド（バンド）
１３  電極
１４  電極
１７  表示器（表示手段：出力手段）
２０  表示器（表示手段：出力手段）
２２  時計（タイマ）
２３  メモリ
２４  通信手段（出力手段）
【図１】
0003768435.tif 000002
【図２】
0003768435.tif 000003
【図３】
0003768435.tif 000004
【図４】
0003768435.tif 000005
【図５】
0003768435.tif 000006
【図６】
0003768435.tif 000007